(57)【要約】【課題】  オートダイヤル発信する着信側ＩＰ電話機のＩＰアドレスおよび調査年月日を記憶装置に記憶するＩＰ電話番号調査装置およびその方法を提供する。【解決手段】  ＩＰ電話局番に所定桁数の連続番号を追加した発信番号の番号リストを記憶する記憶装置１２と、番号リストを読出し、発信側のプロキシサーバ１４を通じてインターネット網１６へ接続し、発信番号にオートダイヤル発信するＳＩＰ電話発信手段と、発信側のプロキシサーバ１４を通じてインターネット網１６へセッション確立要求情報を送信し、発信側のプロキシサーバ１４から暫定応答情報を受信し、調査日付け情報および暫定応答情報に含まれる着信側のＳＩＰ電話機２０のＩＰアドレス情報を記憶装置１２へ記憶するＩＰアドレス取得手段と、ＳＩＰ電話発信手段によりオートダイヤル発信した発信番号の通話回線を切断する回線切断手段と、を備える。【選択図】  図１
2011135121.tif 000002
【特許請求の範囲】
【請求項１】
ＩＰ電話局番に所定桁数の連続番号を追加した発信番号の番号リストを記憶する記憶装置と、
前記記憶装置から番号リストを読出し、発信側プロキシサーバを通じてインターネット網へ接続し、番号リストの中の発信番号にオートダイヤル発信するＳＩＰ電話発信手段と、
発信側のプロキシサーバを通じてインターネット網へセッション確立要求情報を送信し、前記発信側のプロキシサーバから暫定応答情報を受信し、調査日付け情報および暫定応答情報に含まれる着信側のＳＩＰ電話機のＩＰアドレス情報を前記記憶装置へ記憶するＩＰアドレス取得手段と、
前記ＳＩＰ電話発信手段によりオートダイヤル発信した発信番号の通話回線を切断する回線切断手段と、
を備えることを特徴とするコンピュータを用いたＩＰ電話番号調査装置。
【請求項２】
ＩＰ電話局番に所定桁数の連続番号を追加した発信番号の番号リストを記憶する記憶装置から番号リストを読出し、発信側のプロキシサーバを通じてインターネット網へ接続し、番号リストの中の発信番号にＳＩＰ電話発信手段によりオートダイヤル発信し、発信側のプロキシサーバを通じてインターネット網へセッション確立要求情報を送信し、前記発信側のプロキシサーバから暫定応答情報を受信し、ＩＰアドレス取得手段により調査日付け情報および暫定応答情報に含まれる着信側のＳＩＰ電話機のＩＰアドレス情報を取得し前記記憶装置へ記憶し、前記ＳＩＰ電話発信手段によりオートダイヤル発信した発信番号の通話回線を回線切断手段により切断するステップをコンピュータを用いて実行することを特徴とするＩＰ電話番号調査方法。
【発明の詳細な説明】
【技術分野】
【０００１】
本発明は、ＩＰ電話番号調査装置およびその方法に関する。特に、ダイヤル発信するＩＰ電話番号のＩＰアドレス情報を調査日付け情報とともに記憶装置に記憶するコンピュータを用いたＩＰ電話番号調査装置およびその方法に関する。
【背景技術】
【０００２】
従来の電話番号調査装置は、例えば、全国に流通する電話番号に対してＩＳＤＮ回線を通じてオートダイヤルして得た利用状況を示す理由表示データおよび移転先電話番号を、各電話番号に対応させてオートダイヤルした調査日と共に履歴情報として登録する電話番号履歴データベースを備える電話番号調査装置（特許文献１）、ＩＰ電話ネットワーク上の各ＶｏＩＰゲートウエイが自装置のＩＰアドレスと自装置配下の電話機の電話番号を定期的にブロードキャストで送受信することにより、自装置内に自動的に宛先電話番号と宛先ＩＰアドレスの関係を示すテーブルを形成するゲートウエイ（特許文献２）、通信端末インタフェース手段と、ＩＰアドレス有効時間の満了していること、動作中のＩＰ電話トランザクションがないこと、かつ新しいＩＰ電話制御の開始前であることの３条件が満たされた場合にのみ、ＤＮＳサーバに該当するＩＰ電話サーバのＩＰアドレスを問い合わせるアドレス要求を送信し、ＤＮＳサーバから該当するＩＰ電話サーバのＩＰアドレスを取得するＩＰアドレス取得手段を有するＶｏＩＰ制御部と、ＩＰ網インタフェース手段７とを備えるＩＰクライアント装置（特許文献３）、通話相手となるＩＰ電話機との間にインターネット経由で呼接続し、呼接続したＩＰ電話機との間で音声パケットを送受信する通話処理を実行し、ＩＰ電話機との間で通話している間にＩＰ電話機へ画送信するＩＰ電話機（特許文献４）、「INVITE」にSDP情報を付与できないIP-PBXにおいても汎用的にSIP機器を接続することを可能とし、かつ音切れを予防するＳＩＰ交換機システム（特許文献５）が知られている。
【先行技術文献】
【特許文献】
【０００３】
【特許文献１】特許第３９９８２８４号公報
【特許文献２】特開２００７−１０４５３４号公報
【特許文献３】特開２００６−３３０７３号公報
【特許文献４】特開２００５−２８６８５６号公報
【特許文献５】特開２００９−２３９５６４号公報
【発明の概要】
【発明が解決しようとする課題】
【０００４】
しかしながら、従来の電話番号情報の自動作成装置では、例えば全国に流通する固定および携帯電話番号に発呼する場合、電話番号プリフェクス「０」に続く桁数から算出した約９９億９千９百９十９件の論理値番号の中から総務省が許可している市外および市内局番に絞り込み約３億９千万件の電話番号リストを生成し、この電話番号リストを読み出しながらコンピュータがＩＳＤＮ回線網に発呼しした場合、着呼側の端末が転送電話やＭＮＰ（マルチナンバーポータビリティ）の電話番号を含むので、理由表示番号を取得してから直ちにＩＳＤＮ回線を切断しても全体の約０．００５％〜０．２９％の確立で課金されてしまうという課題が存在していた。例えば、月間４００万円程度の課金が発生するため、電話番号情報の自動作成装置の月間稼動費用が低減し難いという課題が存在する。また、近年の電気通信技術の進展によりアナログ回線網からデジタル回線網に推移し、これからはＦＴＴＨ（光ファイバ）を利用したＩＰ電話網を構築する計画が推進され、従来のアナログ電話機が利用している銅線（ドライ・カッパー）からＦＴＴＨ（光ファイバ）を利用する公衆回線網が全国に普及し、ＩＰ電話（例えば、578万件と最も多くIP電話番号の指定を受けている通信事業者はプリフェクス「０５０」から始まる電話番号が割り振られている）も増大することが予想される。
【０００５】
そして、従来方法でＩＳＤＮ回線網からＩＰ電話へ発呼して電話番号の利用状況調査を実施すると、１００％に近く課金される状況であり、ＩＳＤＮ網を経由してＩＰ電話番号全件を発呼して調査するのでは莫大な調査費用が発生するという課題が存在する。出願人は電話番号の使用状況調査で発呼している電話番号の通信端末と通話回線を接続することなく、且つ課金されないＩＰ電話番号調査装置を提供することを目的とする。したがって、ＩＰ電話番号調査装置は着呼側のＩＰ電話機と通話しないので、このＩＰ電話機を鳴動させることもないので、着呼側のユーザに迷惑をかけない。さらに、新たなＩＰ電話番号調査装置を提供し、アナログ回線信号を利用する第一世代の電話番号情報取得技術からＩＳＤＮ回線信号を利用する第二世代の電話番号情報取得技術に移行させ、近い将来はＩＰ電話回線信号を利用する第三世代の電話番号情報の取得技術に対応させることも本発明の技術的な課題である。
【０００６】
本発明は、上記課題に対応してなされたものであり、プロキシサーバにコンピュータを用いたＩＰ電話番号調査装置からインターネット網を通じてＩＰ電話番号を発呼し、着信側ＩＰ電話機のＩＰアドレスを記憶装置に調査日付け情報とともに記憶するコンピュータを用いたＩＰ電話番号調査装置を提供することを目的とする。
【０００７】
そして、オートダイヤル発信しているＩＰ電話番号が通信事業のＳＩＰサーバにおいて加入者に割当てられている「有効」のＩＰ電話番号なのか、通信事業のＳＩＰサーバにおいて割当てられていない「無効」のＩＰ電話番号なのか、ＩＰ電話機のＩＰアドレスが取得できたか否かにより判定できるＩＰ電話番号調査装置およびその方法を提供することを目的とする。
【０００８】
ここで、ＳＩＰサーバとは、SIP（Session Initiation Protocol）と呼ばれるプロトコルを利用して、電話番号をIPアドレスと対応付け、相手電話番号を発呼して通話回線を繋ぐ呼制御を行うサーバである。従来のIP電話サービスや、NGN（Next Generation Network）で利用される。特にNGNにおいては、その最大の特長である帯域制御を指示して、課金および認証情報をインターネットに接続された外部サーバに提供する機能を備えており、NGNのサーバ群の中で中心的な役割を担っている。SIPサーバには、汎用サーバに実装するソフトウェアタイプと、SIPサーバソフトを搭載したハードウェアを提供するタイプがあり、ハードウェア搭載型SIPサーバはNGN向けに高信頼性と高速処理能力を備えている。
【０００９】
また、NGNとは、インターネツトプロトコルIPベースで構築される次世代ネットワークである。現在は電話網とインターネットサービスのIP網が別個に整備されている。次世代ネットワークでは、IPベースのネットワークを構築し、その上で電話やインターネット接続に限らず、放送、認証サービス、位置情報サービス、マルチメディア会議など、あらゆるサービスを提供することを目的としている。QoSやセキュリティを向上させたIPベースのネットワークを構築し、多用なサービスを展開することでユビキタスネットワーク社会が実現できる。その第1歩として、各国で電話網のIP網への置き換えが進められている。日本でも、KDDIが2008年までにIP化が完了し、NTTグループが2010年前半までにIP化を行う予定である。現在、ITU-Tなどが中心になってNGNの標準化が進められている。総務省が「IPネットワーク設備委員会」を2005年11月に、産官学連携による「次世代IPネットワーク推進フォーラム」が2005年12月に設立されている。
【課題を解決するための手段】
【００１０】
上記目的を達成するために、本発明のＩＰ電話番号調査装置は、例えば、図１に示すように、ＩＰ電話局番に所定桁数の連続番号（例えば、００００〜９９９９）を追加した発信番号の番号リストを記憶する記憶装置１２と、記憶装置１２から番号リストを読出し、発信側のプロキシサーバ１４を通じてインターネット網１６へ接続し、番号リストの中の発信番号にオートダイヤル発信するＳＩＰ電話発信手段（コンピュータのＣＰＵで実行する電話発信ソフトウエアプログラム）と、発信側のプロキシサーバ１４を通じてインターネット網１６へセッション確立要求情報（例えば、ＩＮＶＩＴＥ）を送信し、発信側のプロキシサーバ１４から暫定応答情報（例えば、Ｒｉｎｇｉｎｇ）を受信し、調査日付け情報および暫定応答情報に含まれる着信側のＳＩＰ電話機２０のＩＰアドレス情報を取得し記憶装置１２へ記憶するＩＰアドレス取得手段（コンピュータのＣＰＵで実行するＩＰアドレス取得ソフトウエアプログラム）と、ＳＩＰ電話発信手段（電話発信ソフト）によりオートダイヤル発信した発信番号の通話回線を切断する回線切断手段（コンピュータのＣＰＵで実行する回線切断ソフトウエアプログラム）と、を備える。
【００１１】
そして、ＩＰ電話番号調査装置１０は、発信側のプロキシサーバ１４から発信している発信番号が電気通信事業者から指定された有効なＩＰ電話番号（ＩＰアドレス指定済）なのか、電気通信事業者から指定されていない無効なＩＰ電話番号（ＩＰアドレス未指定）なのか、着信側のＳＩＰ電話機２０を鳴動させる前に判定し、毎月または隔月若しくは四半期に一回の所定の間隔で発信番号をオートダイヤル発信手段で発信し記憶装置１２に発信番号と調査年月日とＩＰアドレスを関連付けて記憶装置１２に記憶することで電話番号履歴情報を蓄積することができる。
【発明の効果】
【００１２】
また、オートダイヤル発信手段で発信する発信番号が電気通信事業者から指定されている「有効」、または電気通信事業者から指定されていない「無効」のＩＰ電話番号なのか否かを、プロキシサーバが返信する暫定応答信号の中のＩＰアドレスの有無により判定でき、取得したＩＰアドレスを記憶装置に記録することで、ＳＩＰ電話機のＩＰアドレス情報の履歴を的確に蓄積し、且つ通話による課金を防止することができる。
【図面の簡単な説明】
【００１３】
【図１】本発明のＩＰ電話番号調査装置のブロック図。
【図２】本発明のＩＰ電話番号調査装置の動作シーケンスを示す図。
【発明を実施するための形態】
【００１４】
本発明の実施の一形態を図１を参照しながら説明する。本実施形態のＩＰ電話番号調査装置１０は、概略的には、パーソナルコンピュータまたはワークステーションを用いて発信側のプロキシサーバＡ（１４）を通じてインターネット網１６へアクセスし、発信番号宛（ＳＩＰ電話機２０）にセッション確立要求（例えば、ＩＮＶＩＴＥ）を着信側のプロキシサーバＢ（１８）へ送信し、この着信側のプロキシサーバＢ１８が返信する暫定応答情報（例えば、Ｒｉｎｇｉｎｇ）をインターネット網１８を介して発信側のプロキシサーバＡ（１４）に着信させ、発信側のプロキシサーバＡ（１４）からＳＩＰ電話機２０のＩＰアドレス情報を取得し調査日付け情報およびＩＰアドレスを発信番号に対応させて記憶装置１２に記憶してから、発信番号の通話回線を切断する。これにより、ＳＩＰ電話機２０のＩＰアドレスを瞬時に把握することでき、ＳＩＰ電話機２０が鳴動する前に通話回線を切断できるため、ＳＩＰ電話機２０の鳴動を未然に防止することができる。
【００１５】
図１に示す本発明の実施形態のＩＰ電話番号調査装置１は、データベースＤＢを蓄積する記憶装置１２（例えば、ハードディスク）および発信側のプロキシサーバＡ（１４）に接続され、内部に不図示のＣＰＵ、メモリ、Ｉ／Ｏ、コンピュータソフトウエアを記憶する記憶部を備え、記憶装置１２には、ＩＰ電話局番（例えば、０５０＋ＡＢＣＤ）に所定桁数の連続番号（例えば、００００〜９９９９）を追加した発信番号の番号リストを記憶している。このＩＰ電話局番は、総務省が電気通信事業者に指定する公開された所定桁数の番号である。
【００１６】
ＩＰ電話番号調査装置１は、ＳＩＰ電話機２０の発信番号をオートダイヤル発信手段により発信することで、プロキシサーバ１４、インターネット網１６、プロキシサーバ１８の順番にルーティングが実行されＳＩＰ電話機２０に対して発呼処理を実行することができる。但し、本発明は番号リストの中の発信番号に限定されず、例えば、記憶装置１２に公開されているＩＰ電話局番（０５０＋ＡＢＣＤ）を番号リストとして記憶させ、この番号リストを読み出しながら、カウンタ手段を用いて「００００」〜「９９９９」の番号を追加して発信番号を生成し、この発信番号をオートダイヤル発信手段により発信することもできる。
【００１７】
図１を参照し、ＩＰ電話番号調査装置１０の動作について説明する。概略的には、ＩＰ電話番号の調査では、ＩＰ電話番号調査装置１０は「０」から「９」の数字からなる所定桁数の発信番号をオートダイヤル発信し、ＳＩＰシステム（ＳＩＰ対応のＩＰ電話機）を使って通信を開始する。
【００１８】
そして、ＩＰ電話番号調査装置１０は、プロキシサーバＡ（１４）を介してインターネット網１６へ発信側および着信側のＩＰアドレス情報を含むセッション確立要求情報（ＩＮＶＩＴＥ）をルーティングさせる。インターネット網１６に接続されたプロキシサーバＢ（１８）は、ルーティングされたセッション確立要求情報（ＩＮＶＩＴＥ）から着信側のＩＰアドレスとＳＩＰ電話機２０のＩＰアドレスとの一致判定を実行する。
【００１９】
プロキシサーバＢ（１８）は、ＩＰアドレスが一致する場合は、暫定応答情報（Ｒｉｎｇｉｎｇ）をインターネット網１６を介してプロキシサーバＡ（１４）へ返信すると共に、ＳＩＰ電話機２０の呼び出し制御を実行する。この場合、ＩＰ電話番号調査装置１０はプロキシサーバＡ（１４）に保存された着信側のＳＩＰ電話機２０のＩＰアドレスを取得してから、通話回線切断情報（ＢＹＥ）をプロキシサーバＡ（１４）に送信してインターネット網１６を通じた通話回線を切断する。
【００２０】
したがって、ＩＰ電話調査装置１０は、プロキシサーバＢ（１８）から返信される成功応答情報（２００ＯＫ）をインターネット網１６およびプロキシサーバＡ（１４）を経由して着信する前に通話回線を切断することができる。
【００２１】
本実施形態の中核的構成要件は、ＳＩＰ電話機２０のＩＰアオドレス情報を取得した後に強制的に通話回線を切断する回線切断情報をプロキシサーバＡ（１４）へ送信する回線切断手段を具備することである。
【００２２】
ここで、プロキシサーバＡ（１４）は、プロキシサーバＡ（１４）に接続する不図示のＳＩＰサーバに対して発信番号に対応するＩＰアドレスを取得する。例えば、ＳＩＰサーバは、プロキシサーバＡ（１４）のＩＰアドレス「１０．１１．１２．１０」、ＩＰ電話番号調査装置１０のＩＰアドレス「１０．１１．１２．１３」、プロキシサーバＢ（１８）のＩＰアドレス「２０．２１．２２．２０」、および発信番号に対応するＳＩＰ電話機２０のＩＰアドレス「２０．２１．２２．２３」が登録され発信番号（ＩＰ電話番号）をＩＰアドレスに変換することができる。
【００２３】
また、プロキシサーバＡ（１４）は、不図示のローケーションサーバに接続している。ローケーションサーバには、プロキシサーバＡ（１４）のＩＰアドレス「１０．１１．１２．１０」、ＩＰ電話番号調査装置１０のＩＰアドレス「１０．１１．１２．１３」、プロキシサーバＢ（１８）のＩＰアドレス「２０．２１．２２．２０」、およびＳＩＰ電話機２０のＩＰアドレス「２０．２１．２２．２３」の他に、プロキシサーバＡ（１４）、ＩＰ電話番号調査装置１０、プロキシサーバＢ（１８）、ＳＩＰ電話機２０のＵＲＬもそれぞれ登録されている。
【００２４】
ＩＰ電話番号調査装置１０は、ＳＩＰ電話発信手段を起動させ、記憶装置１２の番号リストを読出し、番号リストの中の発信番号をプロキシサーバＡ（１５）へオートダイヤル発信しセッション確立要求（ＩＮＶＩＴＥ）の作成を依頼する。この発信番号は数字のＩＰ電話番号、ＩＰ電話番号調査装置１０のＩＰアドレスは「１０．１１．１２．１３」である。
【００２５】
プロキシサーバＡ（１４）は、セッション確立要求メッセージ（以下、「ＩＮＶＩＴＥ」と略記する。）を作成する。具体的には、リクエストメッセージの中に「ＩＮＶＩＴＥ  ｓｉｐ：ＳＩＰ電話機２０のＵＲＬ  ＳＩＰ／２．０」のスタートライン、ヘッダーフィールド、空白行、ボディを作成し、プロキシサーバＡ（１４）は、このＩＮＶＩＴＥをインターネット網１６を通してプロキシサーバＢ（１８）へ送信する。
【００２６】
プロキシサーバＡ（１４）は、ステータスコード「１００  Ｔｒｙｉｎｇ」の施行中メッセージをＩＰ電話調査装置１０へ返信する。これにより、ＩＰ電話調査装置１０はプロキシサーバＢ（１８）にＩＮＶＩＴＥが転送された事象を判定することができる。
【００２７】
プロキシサーバＢ（１８）は、プロキシサーバＡ（１４）が送信したＩＮＶＩＴＥをＳＩＰ電話機２０へ転送すると共に、ステータスコード「１００  Ｔｒｙｉｎｇ」の施行中メッセージをプロキシサーバＡ（１４）へ返信する。これにより、プロキシサーバＡ（１４）は、ＳＩＰ電話機２０にＩＮＶＩＴＥが送信された事象を判定することができる。
【００２８】
次に、プロキシサーバＢ（１８）は、ＳＩＰ電話機２０から暫定応答情報としてのステータスコード「１８０  Ｒｉｎｇｉｎｇ」を受信すると、直ちに、このステータスコード「１８０  Ｒｉｎｇｉｎｇ」をプロキシサーバＡ（１４）に転送する。すなわち、ＳＩＰ電話機２０から返信される暫定応答情報は、リクエストメッセージに対する始めて応答するレスポンス情報であり、このステータスコード「１８０  Ｒｉｎｇｉｎｇ」メッセージの「Ｃｏｎｔａｃｔ：」の行にＳＩＰ電話機２０のＩＰアドレス「２０．２１．２２．２３」が記述されている。
【００２９】
「１８０  Ｒｉｎｇｉｎｇ」メッセージの記述内容を例示する。
ＳＩＰ／２  １８０  Ｒｉｎｇｉｎｇ
Ｖｉａ：   ＳＩＰ／２／ＵＤＰ  プロキシサーバＢ（１８）のＵＲＬ：  ｘｘｘｘｘ
：ｒｅｃｅｉｖｅｄ＝プロキシサーバＢ（１８）のＩＰアドレス「２０．２１．２２．２０」
Ｖｉａ：   ＳＩＰ／２／ＵＤＰ  プロキシサーバＡ（１４）のＵＲＬ  ｘｘｘｘｘ
：ｒｅｃｅｉｖｅｄ＝プロキシサーバＡ（１４）のＩＰアドレス「１０．１１．１２．１０」
Ｖｉａ：   ＳＩＰ／２／ＵＤＰ  ＩＰ電話調査装置１０のＵＲＬ  ｘｘｘｘｘ
：ｒｅｃｅｉｖｅｄ＝ＩＰ電話調査装置１０のＩＰアドレス「１０．１１．１２．１３」
ＦＲＯＭ：  表示名  ［ｓｉｐ：ＩＰ電話調査装置１０のＵＲＬ］；ｔａｇ＝ｘｘｘｘ
ＴＯ：  表示名  ［ｓｉｐ：ＳＩＰ電話機２０のＵＲＬ］；ｔａｇ＝ｘｘｘｘ
Ｃａｌｌ−ＩＤ：  ｘｘｘｘｘｘｘｘｘｘｘｘ＠ プロキシサーバＢ（１８）のドメイン名
Ｃｓｅｑ：  １  ＩＮＶＩＴＥ
Ｃｏｎｔａｃｔ：  ［ｓｉｐ：ＳＩＰ電話機２０のＩＰアドレス「２０．２１．２２．２３」］
Ｃｏｎｔａｃｔ−Ｌｅｎｇｔｈ：  ０
【００３０】
プロキシサーバＡ（１４）は、プロキシサーバＢ（１８）から受信したステータスコード「１８０  Ｒｉｎｇｉｎｇ」を、直ちに、ＩＰ電話番号調査装置１０へ転送し、ＩＰ電話番号調査装置１０は「１８０  Ｒｉｎｇｉｎｇ」メッセージを受信することでＳＩＰ電話機２０のＩＰアドレス「２０．２１．２２．２３」を取得することができる。
【００３１】
ＳＩＰ電話機２０は、ステータスコード「１８０  Ｒｉｎｇｉｎｇ」メッセージを返信した時点では呼び出し音を鳴動さていない、すなわち、ＳＩＰ電話機２０は、ＩＮＶＩＴＥを受信してから直ちに「１８０  Ｒｉｎｇｉｎｇ」メッセージをプロキシサーバＢ（１８）へ返信するが、「１８０  Ｒｉｎｇｉｎｇ」メッセージの返信処理完了時点から数秒後に呼び出し音の鳴動を開始する。
【００３２】
したがって、ＩＰ電話番号調査装置１０がインターネット網１６およびプロキシサーバＡ（１６）を通して転送された「１８０  Ｒｉｎｇｉｎｇ」メッセージを受信した時点では、ＳＩＰ電話機２０の鳴動は開始されていない。
【００３３】
ＩＰ電話番号調査装置１０は、ＳＩＰ電話機２０が鳴動する前に通話回線を切断するため、「１８０  Ｒｉｎｇｉｎｇ」メッセージの受信判定を遂行し、「１８０  Ｒｉｎｇｉｎｇ」が暫定応答であると判定すると、直ちに、発信番号の通話回線を切断する通話回線切断情報「ＢＹＥ」をプロキシサーバＡ（１４）へ送信し通話回線を切断してから、次の発信番号を記憶装置１２から読み出して上述したＩＰ電話番号調査処理を繰り返すことができる。
【００３４】
ＩＰ電話番号調査装置１０は、受信した「１８０  Ｒｉｎｇｉｎｇ」メッセージの中に記述されているＳＩＰ電話機２０のＩＰアドレス「２０．２１．２２．２３」情報、調査日付け情報を発信番号と関連付けて記憶装置１２に記憶することで、ＳＩＰ電話機２０の使用履歴およびＩＰアドレス情報を記憶装置１２に蓄積することができる。
【００３５】
ＩＰ電話番号調査装置１０は、所定の期間（例えば、1ヶ月）にすべての有効なＩＰ電話番号および現在使用されていない無効のＩＰ電話番号に対してオートダイヤル発信を試行してＩＰアドレスの有無により、ＩＰ電話番号の有効および無効（欠番）を判定することができる。
【００３６】
使用者は、記憶装置１２に記憶した番号リストと、この番号リストに対応付けられて記憶したＩＰアオレス情報および調査日付け情報を他の記憶媒体に転送またはダウンロードして数ヶ月または数年のＩＰ電話番号情報を蓄積することで、ＩＰ電話番号履歴情報を生成することができる。
【００３７】
上述した本発明の実施形態では、暫定応答信号としてステータスコード「１８０  Ｒｉｎｇｉｎｇ」メッセージを使用したが、本発明は「１８０  Ｒｉｎｇｉｎｇ」メッセージに限定しされず、次の表１に示すレスポンスのステータスコードに含まれる「１ｘｘ」台のステータスコードを使用してもプロキシサーバＡ（１４）、プロキシサーバＢ（１８）、およびＳＩＰ電話機２０は直ちにメッセージを返信するので、上述のＩＰ電話番号調査装置１０を運用できることが言うまでもない。
【００３８】
【表１】
2011135121.tif 000003
【００３９】
図２は、本発明の実施形態のＩＰ電話番号調査装置の動作シーケンスを示す図である。ＩＰ電話番号調査装置１０は、記憶装置１２に記憶した番号リストのすべての発信番号をＳＩＰ電話発信手段により発信完了するまで図示したステップＳ１〜ステップＳ５のシーケンスを繰り返す。
【００４０】
ＩＰ電話番号調査装置１０は、ステップＳ１では記憶装置１２に記憶した番号リストを読出し、発信番号をＳＩＰ電話発信手段によりプロキシサーバＡ（１４）に対して発信し、ステップＳ２に処理を移行する。
【００４１】
ＩＰ電話番号調査装置１０は、ステップＳ２ではセッション確立要求のＩＮＶＩＴＥを生成し、ＩＮＶＩＴＥをプロキシサーバＡ（１４）に送信し、ステップＳ３へ処理を移行する。
【００４２】
ＩＰ電話番号調査装置１０は、ステップＳ３では、プロキシサーバＡ（１４）から暫定応答を受信したか否か判定し、例えば、「１８０  Ｒｉｎｇｉｎｇ」情報の暫定応答を受信するまで待機する。
【００４３】
そして、ＩＰ電話番号調査装置１０は、暫定応答である「１８０  Ｒｉｎｇｉｎｇ」情報の受信判定をした場合はステップＳ４へ処理を分岐させる。
【００４４】
ＩＰ電話番号調査装置１０は、ステップＳ４では、暫定応答情報に含まれるＳＩＰ電話機２０のＩＰアドレスを取得して、発信番号に関連付けて調査日付け情報およびＩＰアドレス情報を記憶装置１２に記憶させ、処理をステップＳ５へ移行させる。
【００４５】
ＩＰ電話番号調査装置１０は、ステップＳ５では、発信番号の通話回線を切断するための「ＢＹＥ」リクエスト情報をプロキシサーバＡ（１４）に送信して処理を終了させる。
【００４６】
本実施形態のＩＰ電話番号調査装置１０は、市外局番（例えば、ＩＰ電話の「０５０」のプリフェクスや、ＮＧＮが整備されると固定および携帯電話のプリフェクス）、市内局番（ＸＸＸＸ）から交換局またはＳＩＰサーバを特定し、特定した局番を基に電話番号の配列特徴を利用して（加入者番号4桁0000から9999までの論理番号を求め）国内に実在するＩＰ電話の有効性（例えば、現在使用中の番号）を示す暫定応答情報中に記述されたＳＩＰ電話機２０のＩＰアドレスを、ＳＩＰ電話機２０からプロキシサーバＢ（１８）、インターネット網１６、プロキシサーバＡ（１４）の順番に転送して、プロキシサーバＡ（１４）に保存されたＳＩＰ電話機２０のＩＰアドレスを取得し、記憶装置１２としてのハードディスクに記憶する。
【００４７】
本実施形態では、ＳＩＰ電話機２０のＩＰアドレスを取得できる。このＩＰアドレスからＳＩＰ電話機２０の設置されている地域が判明する。ＳＩＰ電話の設置地域が判明することは、ＳＩＰ電話機の発信相手が何処から電話しているかをＩＰアドレスを利用して本人が申告した住所や注文された時刻、同一人が次に注文する時刻などの整合性チェックを行うことでなりすましなど詐欺防止に利用できる。
【００４８】
この場合、ＩＰ電話番号情報の履歴調査の他にＳＩＰ電話機２０の位置情報から与信審査にも利用できることは、いうまでもない。例えば、申告住所が神奈川県相模原市内でＩＰアドレスの使用されている地域が静岡県内であれば慎重な注文処理を行う（住民票を請求や着払い、現地調査など）ことでなりすましや詐欺申込を防止できる。
【００４９】
以上のように、本実施形態のＩＰ電話番号調査装置１０によれば、実在するＩＰ電話番号から有効および無効の電話番号テーブルを記憶装置１２の中に記憶し保存できるので、一旦無効とした電話番号の番号テーブルをＩＰ電話番号調査装置１０を使用して再調査しその後刻々新設ある電話番号の更新情報を得ることができ、無効の電話番号の中から通話のできる有効なＩＰ電話番号を種別することができる。
【００５０】
本実施形態をインターネット網に対応させて説明したが、本発明は上述の実施形態に限定されることはなく、通信回線網の発達に応じて適宜構成要件を変更できることは言うまでもない。
【符号の説明】
【００５１】
１０  ＩＰ電話番調査装置
１２  データベース
１４  プロキシサーバＡ
１６  インターネット網
１８  プロキシサーバＢ
２０  ＳＩＰ電話機
【図１】
2011135121.tif 000004
【図２】
2011135121.tif 000005